【事件の表示】
　特許第６０６４０２３号発明「エレベータ巻上機のリニューアル方法」の特許異議申立事件について、次のとおり決定する。
【結　論】
　特許第６０６４０２３号の明細書及び特許請求の範囲を訂正請求書に添付された訂正明細書及び特許請求の範囲のとおり、訂正後の請求項〔１、３、８、９〕、〔２、４〕、７について訂正することを認める。
　特許第６０６４０２３号の請求項１、３、７に係る特許を維持する。
【理　由】
第１　手続の経緯
　特許第６０６４０２３号の請求項１ないし７に係る特許についての出願は、平成２８年１２月２２日付けでその特許権の設定登録がされ、その後、平成２９年７月１１日に特許異議申立人小山輝晃（以下、「特許異議申立人」という。）より請求項１、３及び７に対して特許異議の申立てがされ、平成２９年１０月１７日付けで取消理由が通知され、平成２９年１２月６日に意見書の提出及び訂正請求がされ、平成３０年２月２０日付けで訂正請求があった旨の通知がされ、平成３０年３月１９日に特許異議申立人から意見書が提出され、平成３０年５月１０日付けで取消理由（決定の予告）（以下、単に「取消理由」という。）が通知され、平成３０年７月５日に意見書が提出されるとともに訂正の請求（以下、「本件訂正の請求」という。）がされたものである。
　
第２　訂正の適否についての判断
１　訂正の内容
　本件訂正の請求による訂正の内容は、次のとおりである（なお、下線を付した箇所は訂正箇所である。）。
  
（１）訂正事項１
　特許権者は、特許請求の範囲の請求項１を以下の事項により特定されるとおりの請求項１として訂正することを請求する。（なお、下線部は訂正箇所を示す。以下同様。）
「【請求項１】
　マシンルームレスエレベータ装置におけるエレベータ巻上機のリニューアル方法であって、既設主ロープを取り外す工程と、既設トラクションシーブを有する既設巻上機を撤去することなく、前記既設巻上機のロープ巻上機能を取り除く工程と、
新設巻上機ベースをガイドレールに取り付ける工程と、
前記新設巻上機ベースに
（請求項１の記載を引用する請求項３も同様に訂正する。） 
　
（２）訂正事項２
　特許権者は、明細書の段落【０００６】を以下のとおり訂正することを請求する。
「【０００６】
　実施の形態によるエレベータ巻上機のリニューアル方法は、マシンルームレスエレベータ装置におけるエレベータ巻上機をリニューアルする。このリニューアル方法は、既設主ロープを取り外す工程と、既設トラクションシーブを有する既設巻上機を撤去することなく、既設巻上機のロープ巻上機能を取り除く工程と、を備えている。また、このリニューアル方法は、
新設巻上機ベースをガイドレールに取り付ける工程と、
前記新設巻上機ベースに
　
（３）訂正事項３
　特許権者は、特許請求の範囲の請求項２を以下の事項により特定されるとおりの請求項２として訂正することを請求する。
「
マシンルームレスエレベータ装置におけるエレベータ巻上機のリニューアル方法であって、既設主ロープを取り外す工程と、既設トラクションシーブを有する既設巻上機を撤去することなく、前記既設巻上機のロープ巻上機能を取り除く工程と、新設トラクションシーブを有する新設巻上機を設置する工程と、新設主ロープを、前記既設トラクションシーブおよび前記新設トラクションシーブに巻き掛ける工程と、を備え、前記新設主ロープを巻き掛ける工程の後において、前記既設トラクションシーブは、そらせジープとして利用されることを特徴とするエレベータ巻上機のリニューアル方法において、
　前記既設巻上機は、昇降路の上部に設置されており、釣合錘に、一対の錘シーブが設けられており、前記新設巻上機を設置する工程において、前記新設巻上機は、前記昇降路の上部に設置され、前記新設主ロープを巻き掛ける工程において、前記新設主ロープは、一方の前記錘シーブ、前記新設トラクションシーブ、他方の前記錘シーブに、この配列順で巻き掛けられることを
特徴とするエレベータ巻上機のリニューアル方法。
　
（４）訂正事項４
　特許権者は、特許請求の範囲の請求項４のうち請求項２を引用するものを、以下の事項により特定されるとおりの請求項４として訂正することを請求する。
「前記新設主ロープを巻き掛ける工程の後において、前記既設巻上機は、ブレーキ機能を有していることを特徴とする
請求項２
　
（５）訂正事項５
　特許権者は、特許請求の範囲の請求項４のうち請求項１を引用するものを、以下の事項により特定されるとおりの請求項８として訂正することを請求する。
「
【請求項８】
　マシンルームレスエレベータ装置におけるエレベータ巻上機のリニューアル方法であって、既設主ロープを取り外す工程と、既設トラクションシーブを有する既設巻上機を撤去することなく、前記既設巻上機のロープ巻上機能を取り除く工程と、新設トラクションシーブを有する新設巻上機を設置する工程と、新設主ロープを、前記既設トラクションシーブおよび前記新設トラクションシーブに巻き掛ける工程と、を備え、前記新設主ロープを巻き掛ける工程の後において、前記既設トラクションシーブは、そらせシーブとして利用されることを特徴とするエレベータ巻上機のリニューアル方法において、
　前記新設主ロープを巻き掛ける工程の後において、前記既設巻上機は、ブレーキ機能を有していることを特徴とするエレベータ巻上機のリニューアル方法。
　
（６）訂正事項６
　特許権者は、特許請求の範囲の請求項４のうち、請求項１を引用する請求項３を引用するものを、以下の事項により特定されるとおりの請求項９として訂正することを請求する。
「
【請求項９】
　マシンルームレスエレベータ装置におけるエレベータ巻上機のリニューアル方法であって、既設主ロープを取り外す工程と、既設トラクションシーブを有する既設巻上機を撤去することなく、前記既設巻上機のロープ巻上機能を取り除く工程と、新設トラクションシーブを有する新設巻上機を設置する工程と、新設主ロープを、前記既設トラクションシーブおよび前記新設トラクションシーブに巻き掛ける工程と、を備え、前記新設主ロープを巻き掛ける工程の後において、前記既設トラクションシーブは、そらせシーブとして利用されることを特徴とするエレベータ巻上機のリニューアル方法において、
　前記既設巻上機は、昇降路の下部に設けられており、前記新設巻上機を設置する工程の前に、前記昇降路の上部に設けられていた既設そらせシーブが撤去され、前記新設巻上機を設置する工程において、前記新設巻上機は、前記昇降路の上部に設置され、
　前記新設主ロープを巻き掛ける工程の後において、前記既設巻上機は、ブレーキ機能を有していることを特徴とするエレベータ巻上機のリニューアル方法。
　
（７）訂正事項７
　特許権者は、特許請求の範囲の請求項７を、以下の事項により特定されるとおりの請求項７として訂正することを請求する。
「【請求項７】
　マシンルームレスエレベータ装置におけるエレベータ巻上機のリニューアル方法であって、既設主ロープを取り外す工程と、既設巻上機ベースから、既設巻上機を撤去する工程と、前記既設巻上機が撤去された前記既設巻上機ベース上に、新設そらせシーブを設置する工程と、
新設巻上機ベースをガイドレールに取り付ける工程と、
前記新設巻上機ベースに
　
２　訂正の目的の適否、新規事項の有無、一群の請求項及び特許請求の範囲の拡張・変更の存否
　訂正事項１の、請求項１及び３に係る訂正は、特許請求の範囲の減縮を目的とし、新規事項の追加に該当せず、実質上特許請求の範囲を拡張し、又は変更するものではない。
　訂正事項２の、明細書の段落【０００６】に係る訂正は、明瞭でない記載の釈明を目的とし、新規事項の追加に該当せず、実質上特許請求の範囲を拡張し、又は変更するものではない。
　訂正事項３の、請求項２に係る訂正は、引用関係の解消を目的とし、新規事項の追加に該当せず、実質上特許請求の範囲を拡張し、又は変更するものではない。
　訂正事項４の、請求項４に係る訂正は、特許請求の範囲の減縮を目的とし、新規事項の追加に該当せず、実質上特許請求の範囲を拡張し、又は変更するものではない。また、訂正後における特許請求の範囲に記載されている事項により特定される発明が特許出願の際独立して特許を受けることができるものである。
　訂正事項５の、請求項８に係る訂正は、引用関係の解消を目的とし、新規事項の追加に該当せず、実質上特許請求の範囲を拡張し、又は変更するものではない。
　訂正事項６の、請求項９に係る訂正は、引用関係の解消を目的とし、新規事項の追加に該当せず、実質上特許請求の範囲を拡張し、又は変更するものではない。
  訂正事項７の、請求項７に係る訂正は、特許請求の範囲の減縮を目的とし、新規事項の追加に該当せず、実質上特許請求の範囲を拡張し、又は変更するものではない。
　また、訂正前の請求項１ないし７は、請求項２ないし４が、訂正の請求の対象である請求項１の記載を引用する関係にあるから、訂正前において一群の請求項ごとにされたものである。
　
３　小括
　本件訂正の請求による訂正事項１ないし７は、特許法第１２０条の５第２項ただし書第１号、第３号又は第４号に掲げる事項を目的とするものであり、かつ、同条第４項、及び同条第９項で準用する同法第１２６条第４項から第７項までの規定に適合する。
　よって、訂正後の請求項〔１、３、８、９〕、〔２、４〕、７及び明細書について訂正を認める。
　
第３　特許異議の申立てについて
１　本件訂正発明
　本件訂正の請求により訂正された訂正請求項１、３及び７に係る発明（以下、それぞれ、「本件訂正発明１、３及び７」という。）は、その特許請求の範囲の請求項１、３及び７に記載された次の事項により特定されるとおりのものである。
　
（１）本件訂正発明１
「マシンルームレスエレベータ装置におけるエレベータ巻上機のリニューアル方法であって、既設主ロープを取り外す工程と、既設トラクションシーブを有する既設巻上機を撤去することなく、前記既設巻上機のロープ巻上機能を取り除く工程と、新設巻上機ベースをガイドレールに取り付ける工程と、新設トラクションシーブを有する新設巻上機を前記新設巻上機ベースに設置する工程と、新設主ロープを、前記既設トラクションシーブおよび前記新設トラクションシーブに巻き掛ける工程と、を備え、前記新設主ロープを巻き掛ける工程の後において、前記既設トラクションシーブは、そらせシーブとして利用されることを特徴とするエレベータ巻上機のリニューアル方法。」
　
（２）本件訂正発明３
「前記既設巻上機は、昇降路の下部に設けられており、前記新設巻上機を設置する工程の前に、前記昇降路の上部に設けられていた既設そらせシーブが撤去され、前記新設巻上機を設置する工程において、前記新設巻上機は、前記昇降路の上部に設置されることを特徴とする請求項１に記載のエレベータ巻上機のリニューアル方法。」
　
（３）本件訂正発明７
「マシンルームレスエレベータ装置におけるエレベータ巻上機のリニューアル方法であって、既設主ロープを取り外す工程と、既設巻上機ベースから、既設巻上機を撤去する工程と、前記既設巻上機が撤去された前記既設巻上機ベース上に、新設そらせシーブを設置する工程と、新設巻上機ベースをガイドレールに取り付ける工程と、新設トラクションシーブを有する新設巻上機を前記新設巻上機ベースに設置する工程と、新設主ロープを、前記新設そらせシーブおよび前記新設トラクションシーブに巻き掛ける工程と、を備えたことを特徴とするエレベータ巻上機のリニューアル方法。」
　
２　取消理由の概要
　本件訂正前の、平成２９年１２月６日付け訂正請求書により訂正された請求項１、３及び７に係る発明（以下、「本件発明１」、「本件発明３」及び「本件発明７」という。）に対して平成３０年５月１０日付けで特許権者に通知した取消理由の概要は、次のとおりである。
　
（１）本件発明１は、特願２０１４−１６４２６３号（特開２０１６−４０１８７号公報参照）の願書に最初に添付した明細書、特許請求の範囲又は図面に記載された発明と同一であるから、特許法第２９の２の規定に違反してされたものであり、請求項１に係る特許は、取り消されるべきものである。
　
（２）本件発明３は、特願２０１４−１６４２６３号（特開２０１６−４０１８７号公報参照）の願書に最初に添付した明細書、特許請求の範囲又は図面に記載された発明と同一であるから、特許法第２９の２の規定に違反してされたものであり、請求項３に係る特許は、取り消されるべきものである。
　
（３）本件発明７は、特願２０１４−１６４２６３号（特開２０１６−４０１８７号公報参照）の願書に最初に添付した明細書、特許請求の範囲又は図面に記載された発明と同一であるから、特許法第２９の２の規定に違反してされたものであり、請求項３に係る特許は、取り消されるべきものである。
　
３　甲号証の記載
（１）甲第１号証
ア　甲第１号証の記載事項
　取消理由通知において引用した特願２０１４−１６４２６３号（特開２０１６−４０１８７号公報参照）の願書に最初に添付した明細書、特許請求の範囲又は図面（以下、「甲第１号証」という。）には、以下の事項が記載されている。なお、下線は当審で付した。
  
（ア）「【０００１】
　この発明は、巻上機が昇降路内の下部に設置されている既設の機械室レスエレベータを、巻上機が昇降路内の上部に設置されている機械室レスエレベータに改修するエレベータの改修方法に関するものである。」
　
（イ）「【００１１】
　昇降路４内の下部（ピット）には、既設の巻上機である巻上機５が設置されている。巻上機５は、懸架体３を介してかご１及び釣合おもり２を昇降させる。また、巻上機５は、巻上機本体６と駆動シーブ７とを有している。巻上機本体６は、駆動シーブ７を回転させるモータと、駆動シーブ７の回転を制動するブレーキとを有している。懸架体３は、駆動シーブ７に巻き掛けられている。」
　
（ウ）「【００２２】
　次に、上記のような既設の機械室レスエレベータの改修方法について説明する。図４は図１の機械室レスエレベータの改修後の状態を示す概略の平面図、図５は図４の機械室レスエレベータを示す概略の正面図である。実施の形態１の改修方法では、
上部支持体１３から釣合おもり返し車１５を取り外し、上部支持体１３の釣合おもり返し車１５が取り付けられていた位置に新たな巻上機（上部巻上機）２１を設置する
【００２３】
　また、昇降路４の下部の巻上機（下部巻上機）５の駆動シーブ７を改修後のエレベータの下部返し車として使用する。さらに、昇降路４の下部の巻上機５からコイル部分を取り外して、駆動シーブ７の回転に対する磁気的な抵抗を無くす。即ち、改修後のエレベータでは、巻上機５は駆動力を発生せず、下部返し車としてのみ使用される。そして、新たな巻上機２１の駆動力により、かご１及び釣合おもり２が昇降する。
【００２４】
　新たな巻上機２１は、軸方向寸法が軸方向に直角な寸法よりも小さい薄型巻上機である。また、新たな巻上機２１は、巻上機本体２２と駆動シーブ２３とを有している。巻上機本体２２は、駆動シーブ２３を回転させるモータと、駆動シーブ２３の回転を制動するブレーキとを有している。巻上機２１は、駆動シーブ２３の回転軸が水平、かつかご１の幅方向に直角となるように配置されている。
【００２５】
　懸架体３は、第１の端部側から順に、第１のかご吊り車１１ａ、第２のかご吊り車１１ｂ、かご返し車１４、駆動シーブ（下部返し車）７、新たな巻上機２１の駆動シーブ２３及び釣合おもり吊り車１２に巻き掛けられている。即ち、図４及び図５のエレベータも、２：１ローピング方式のエレベータである。
【００２６】
　図６は図５の巻上機２１の支持構造を示す概略の斜視図である。巻上機本体２２は、第２の返し車梁１７ｂ上に支持されており、駆動シーブ２３は、返し車梁１７ａ，１７ｂ間の空間の真上に配置されている。これにより、懸架体３の駆動シーブ２３から下方へ向かう部分は、返し車梁１７ａ，１７ｂ間の空間を通っている。他の構成は、改修前と同様であるが、必要に応じて新たな機器と交換してもよい。
【００２７】
　このような機械室レスエレベータの改修方法では、昇降路４内の上部の釣合おもり返し車１５が配置されていた位置に新たな巻上機２１を設置するので、多くの機器を流用しつつ、取付寸法及び外形寸法が改修前とは異なる巻上機２１を設置することができる。これにより、最新の巻上機２１を使用しつつ、改修工期の短縮を図ることができる。
【００２８】
　また、巻上機２１を昇降路４内の上部に配置することができるため、万一ピットが冠水しても、巻上機２１が濡れることがない。
【００２９】
　さらに、既設の巻上機５の駆動シーブ７を改修後のエレベータの下部返し車として使用するので、巻上機５の動力を切った後でも駆動シーブ７をそのまま残すことができ、廃棄物を削減することができる。
【００３０】
　さらにまた、既設の巻上機５のコイル部分を取り外して抵抗を無くすので、駆動シーブ７を下部返し車として使用しても余計な負荷がかかることがない。
【００３１】
　また、新たな巻上機２１として薄型巻上機を用いたので、釣合おもり返し車１５が設置されていたスペースに巻上機２１を容易に設置することができる。
【００３２】
　なお、図６では返し車梁１７ｂ上に巻上機２１が直接設置されているが、例えば
図７に示すように、返し車梁１７ａ，１７ｂ間に一対の巻上機台２４ａ，２４ｂを架設し、巻上機台２４ａ，２４ｂ上に巻上機２１を設置してもよい
　
（エ）「【００３４】
　さらに、上記の例では、釣合おもり返し車１５を新たな巻上機２１と交換したが、昇降路４の上部に配置された機器のレイアウトによっては、
かご返し車１４を新たな巻上機２１と交換してもよい
　さらにまた、既設の巻上機５の駆動シーブ７を返し車として使用せず、巻上機５を撤去し、新たな返し車を昇降路４の下部に設置してもよい。
　また、上記の例では、既設の巻上機５として胴長巻上機を示したが、既設の巻上機は薄型巻上機であってもよい。」
　
（オ）「【特許請求の範囲】
【請求項１】
　かご、釣合おもり、前記かご及び前記釣合おもりを吊り下げる懸架体、昇降路内の下部に設置されており、前記懸架体を介して前記かご及び前記釣合おもりを昇降させる既設の巻上機、前記昇降路内の上部に設置されている上部支持体、及び前記上部支持体に設けられており、前記懸架体が巻き掛けられている上部返し車を備えている機械室レスエレベータの改修方法であって、
　前記上部支持体から前記上部返し車を取り外す工程と、
　前記上部支持体に新たな巻上機を設置する工程と
　を含む機械室レスエレベータの改修方法。
【請求項２】
　前記既設の巻上機の駆動シーブを改修後のエレベータの下部返し車として使用する請求項１記載の機械室レスエレベータの改修方法。
【請求項３】
　前記既設の巻上機のコイル部分を取り外して抵抗を無くす工程を含む請求項２記載の機械室レスエレベータの改修方法。
【請求項４】
　前記既設の巻上機は、軸方向寸法が軸方向に直角な方向の寸法よりも大きい胴長巻上機、又は軸方向寸法が軸方向に直角な方向の寸法よりも小さい薄型巻上機であり、
　前記新たな巻上機は、軸方向寸法が軸方向に直角な方向の寸法よりも小さい薄型巻上機である請求項１から請求項３までのいずれか１項に記載の機械室レスエレベータの改修方法。
【請求項５】
　前記上部支持体は、互いに間隔をおいて配置された第１及び第２の返し車梁を有しており、
　前記上部支持体から前記上部返し車を取り外した後、前記第１及び第２の返し車梁間に巻上機台を架設し、前記巻上機台に前記新たな巻上機を設置する請求項１から請求項４までのいずれか１項に記載の機械室レスエレベータの改修方法。
【請求項６】
　かご、
　釣合おもり、
　前記かご及び前記釣合おもりを吊り下げる懸架体、
　昇降路内の上部に設置されており、前記懸架体を介して前記かご及前記釣合おもりを昇降させる上部巻上機、及び
　前記昇降路内の下部に設置されている下部巻上機
　を備え、
　前記下部巻上機は、駆動力を発生せず、下部返し車として使用されている機械室レスエレベータ。
【請求項７】
  前記下部巻上機は、コイル部分が取り外されている請求項６記載の機械室レスエレベータ。
【請求項８】
　前記下部巻上機は、軸方向寸法が軸方向に直角な方向の寸法よりも大きい胴長巻上機、又は軸方向寸法が軸方向に直角な方向の寸法よりも小さい薄型巻上機であり、
　前記上部巻上機は、軸方向寸法が軸方向に直角な方向の寸法よりも小さい薄型巻上機である請求項６又は請求項７に記載の機械室レスエレベータ。」
　
イ　甲１発明
　上記ア（ア）ないし（オ）並びに図１ないし図５によれば、甲第１号証には次の発明が記載されていると認められる。
　
「機械室レスエレベータにおけるエレベータ用巻上機の設置方法において、駆動シーブ７を有する既設の巻上機５のコイル部分を取り外す工程と、巻上機台２４ａ、２４ｂを返し車梁１７ａ、１７ｂに架設する工程と、駆動シーブ２３を有する新たな巻上機２１を巻上機台２４ａ、２４ｂに設置する工程と、懸架体３を、駆動シーブ７及び駆動シーブ２３に巻き掛ける工程と、を含み、懸架体３を巻き掛ける工程の後において、駆動シーブ７は、下部返し車として利用されるエレベータ用巻上機の設置方法。」（以下、「甲１発明１」という。）
　
「機械室レスエレベータにおけるエレベータ用巻上機の設置方法において、昇降路４の下部から、既設の巻上機５を撤去する工程と、既設の巻上機５が撤去された昇降路４の下部に、新たな返し車を設置する工程と、巻上機台２４ａ、２４ｂを返し車梁１７ａ、１７ｂに架設する工程と、駆動シーブ２３を有する新たな巻上機２１を前記巻上機台２４ａ、２４ｂに設置する工程と、懸架体３を、新たな返し車および駆動シーブ２３に巻き掛ける工程と、を含むエレベータ用巻上機の設置方法。」（以下、「甲１発明２」という。）
　
４　判断
ア　本件訂正発明１について
（ア）本件訂正発明１
　本件訂正発明１は、上記第３の１の（１）において示したとおりのものである。
  
（イ）対比
　本件訂正発明１と甲１発明１とを対比すると、甲１発明１における「機械室レスエレベータ」は、その構成、機能又は技術的意義からみて、本件訂正発明１における「マシンルームレスエレベータ装置」に相当し、以下同様に、「エレベータ用巻上機の設置方法」は既設の巻上機のロープ巻上機能を取り除くとともに新たな巻上機を設置するものであるから、「エレベータ巻上機のリニューアル方法」に、「駆動シーブ７」は「既設トラクションシーブ」に、「既設の巻上機５」及び「巻上機５」は「既設巻上機」に、「駆動シーブ７を有する既設の巻上機５のコイル部分を取り外す」ことは「既設トラクションシーブを有する既設巻上機を撤去することなく、前記既設巻上機のロープ巻上機能を取り除く」ことに、「駆動シーブ２３」は「新設トラクションシーブ」に、「新たな巻上機２１」は「新設巻上機」に、「架設する」は「取り付ける」に、「含む」ことは「備えた」ことに、「下部返し車」は「そらせシーブ」に、それぞれ相当する。
　また、甲１発明１における「懸架体３」は、「主ロープ」という点で、本件訂正発明１における「新設主ロープ」と共通する。
　また、甲１発明１における「巻上機台２４ａ、２４ｂ」は、新設巻き上げ機を設置するための台であるから、本件訂正発明１における「新設巻き上げ機ベース」に相当する。
　また、甲１発明１における「返し車梁１７ａ、１７ｂ」は、「エレベータの構造部材」という点で、本件訂正発明１における「ガイドレール」と共通する。
  
　したがって、本件訂正発明１と甲１発明１とは、以下の点で一致する。
「マシンルームレスエレベータ装置におけるエレベータ巻上機のリニューアル方法であって、既設トラクションシーブを有する既設巻上機を撤去することなく、前記既設巻上機のロープ巻上機能を取り除く工程と、新設巻き上げ機ベースをエレベータの構造部材に取り付ける工程と、新設トラクションシーブを有する新設巻上機を前記新設巻き上げ機ベースに設置する工程と、主ロープを、前記既設トラクションシーブおよび前記新設トラクションシーブに巻き掛ける工程と、を備え、前記主ロープを巻き掛ける工程の後において、前記既設トラクションシーブは、そらせシーブとして利用されるエレベータ巻上機のリニューアル方法。」
　
　そして両者は、以下の点で相違又は一応相違している。
＜相違点＞
　ａ　本件訂正発明１においては、「既設主ロープを取り外す工程」を備え、「新設」主ロープを、既設トラクションシーブおよび新設トラクションシーブに巻き掛ける工程を備えるのに対し、甲１発明１においては、「既設主ロープを取り外す工程」を含むか否か明らかでなく、「新設」主ロープを、駆動シーブ７および駆動シーブ２３に巻き掛ける工程を備えるか否か明らかでない点（以下、「相違点１」という。）。
　
　ｂ　本件訂正発明１においては、新設巻上機ベースを「ガイドレールに」取り付ける工程を備えるのに対し、甲１発明１においては、巻上機台２４ａ，２４ｂを「返し車梁１７ａ，１７ｂに」架設する工程を備える点（以下、「相違点２」という。）。
　
（ウ）判断
　まず、上記相違点１について検討する
　エレベータ装置において、巻上機を交換等して新設する際に主ロープも新しいものに交換することは、本件訂正発明１の出願前における技術常識（以下、「技術常識」という。例えば、甲第３号証の段落【００２８】ないし【００３０】、甲第４号証の段落【００２７】ないし【００３０】、引用文献１の段落【００１１】等を参照。）である。 
　そして、主ロープを新しいものに交換する際には、新設主ロープを、駆動シーブ７および駆動シーブ２３に巻き掛ける工程が必要になることは当業者にとって自明の事項である。
　そうすると、甲第１号証に明記はされていないものの、甲１発明１において「既設主ロープを取り外す工程」を備え、「新設」主ロープを、既設トラクションシーブおよび新設トラクションシーブに巻き掛ける工程を備えることは、当業者にとって技術常識又は自明の事項である。
　したがって、上記相違点１は、実質的な相違点ではないか、仮に実質的な相違点であるとしても、当業者が必要に応じて適宜なし得る設計上の微差にすぎない。 
　
　次に、上記相違点２について検討する。
　甲１発明１は、巻上機台２４ａ、２４ｂを「返し車梁１７ａ、１７ｂに」架設する工程を備えるものであるが、この工程を、本件訂正発明１のように、巻上機台２４ａ、２４ｂを「ガイドレールに」架設する工程に変更することは、当業者にとって自明であるとはいえず、周知慣用手段であるともいえない。
　してみれば、上記相違点２は、実質的な相違点であるから、本件訂正発明１は、甲１発明１と実質的に相違する。
　すなわち、本件訂正発明１は、甲第１号証に記載されたものとはいえない
　
イ　本件訂正発明３について
（ア）本件訂正発明３
　本件訂正発明３は、上記第３の１の（２）において示したとおりのものである。
  
（イ）判断
　本件訂正発明１を引用する本件訂正発明３は、本件訂正発明１の発明特定事項を全て含むものであるから、本件訂正発明１と同様に、甲第１号証に記載されたものとはいえない。
　
ウ　本件訂正発明７について
（ア）本件訂正発明７
　本件訂正発明７は、上記第３の１の（３）において示したとおりのものである。
  
（イ）対比
　本件訂正発明７と甲１発明２とを対比すると、甲１発明２における「機械室レスエレベータ」は、その構成、機能又は技術的意義からみて、本件訂正発明７における「マシンルームレスエレベータ装置」に相当し、以下同様に、「エレベータ用巻上機の設置方法」は既設の巻上機のロープ巻上機能を取り除くとともに新たな巻上機を設置するものであるから、「エレベータ巻上機のリニューアル方法」に、「昇降路４の下部」は「既設巻上機ベース」に、「既設の巻上機５」は「既設巻上機」に、「新たな返し車」は「新設そらせシーブ」に、「駆動シーブ２３」は「新設トラクションシーブ」に、「新たな巻上機２１」は「新設巻上機」に、「含む」は「備えた」に、それぞれ相当する。
　また、甲１発明２における「懸架体３」は、「主ロープ」という点で、本件訂正発明７における「新設主ロープ」と共通する。
　また、甲１発明２における「巻上機台２４ａ、２４ｂ」は、新設巻き上げ機を設置するための台であるから、本件訂正発明７における「新設巻き上げ機ベース」に相当する。
　また、甲１発明２における「返し車梁１７ａ、１７ｂ」は、「エレベータの構造部材」という点で、本件訂正発明７における「ガイドレール」と共通する。
　
　したがって、本件訂正発明７と甲１発明２とは、以下の点で一致する。
「マシンルームレスエレベータ装置におけるエレベータ巻上機のリニューアル方法であって、既設巻上機ベースから、既設巻上機を撤去する工程と、前記既設巻上機が撤去された前記既設巻上機ベース上に、新設そらせシーブを設置する工程と、新設巻上機ベースをエレベータの構造部材に取り付ける工程と、新設トラクションシーブを有する新設巻上機を前記新設巻上機ベースに設置する工程と、主ロープを、前記新設そらせシーブおよび前記新設トラクションシーブに巻き掛ける工程と、を備えたエレベータ巻上機のリニューアル方法。」
　
　そして両者は、以下の点で相違又は一応相違している。
＜相違点＞
　ａ　本件訂正発明７においては、「既設主ロープを取り外す工程」を備え、「新設」主ロープを、新設そらせシーブおよび新設トラクションシーブに巻き掛ける工程を備えるのに対し、甲１発明２においては、「既設主ロープを取り外す工程」を備えるか否か明らかでなく、「新設」主ロープを、新たな返し車および駆動シーブ２３に巻き掛ける工程を備えるか否か明らかでない点（以下、「相違点３」という。）。
　
　ｂ　本件訂正発明７においては、新設巻上機ベースを「ガイドレールに」取り付ける工程を備えるのに対し、甲１発明２においては、巻上機台２４ａ、２４ｂを「返し車梁１７ａ、１７ｂに」架設する工程を備える点（以下、「相違点４」という。）。
　
（ウ）判断
　まず、上記相違点３について検討する
　エレベータ装置において、巻上機を交換等して新設する際に主ロープも新しいものに交換することは、本件訂正発明７の出願前における技術常識（以下、「技術常識」という。例えば、甲第３号証の段落【００２８】ないし【００３０】、甲第４号証の段落【００２７】ないし【００３０】、引用文献１の段落【００１１】等を参照。）である。 
　そして、主ロープを新しいものに交換する際には、新設主ロープを、新たな返し車および駆動シーブ２３に巻き掛ける工程が必要になることは当業者にとって自明の事項である。
　そうすると、甲第１号証に明記はされていないものの、甲１発明２において「既設主ロープを取り外す工程」を備え、「新設」主ロープを、新設そらせシーブおよび新設トラクションシーブに巻き掛ける工程を備えることは、当業者にとって技術常識又は自明の事項である。
　したがって、上記相違点３は、実質的な相違点ではないか、仮に実質的な相違点であるとしても、当業者が必要に応じて適宜なし得る設計上の微差にすぎない。
　
　次に、上記相違点４について検討する。
　甲１発明２は、巻上機台２４ａ、２４ｂを「返し車梁１７ａ、１７ｂに」架設する工程を備えるものであるが、この工程を、本件訂正発明７のように、巻上機台２４ａ、２４ｂを「ガイドレールに」架設する工程に変更することは、当業者にとって自明であるとはいえず、周知慣用手段であるともいえない。
　してみれば、上記相違点４は、実質的な相違点であるから、本件訂正発明７は、甲１発明２と実質的に相違する。
　すなわち、本件訂正発明７は、甲第１号証に記載されたものとはいえない
　
エ　まとめ
　以上のとおりであるから、本件訂正後の請求項１、３及び７に係る特許は、特許法第２９条の２の規定に違反してされたものとはいえず、同法第１１３条第２号に該当するものではない。
  
第４　結語
　上記第３のとおりであるから、平成３０年５月１０日付け取消理由通知に記載した取消理由によっては、本件訂正後の請求項１、３及び７に係る特許を取り消すことはできない。
　また、他に請求項１、３及び７に係る特許を取り消すべき理由を発見しない。
　よって、結論のとおり決定する。
【異議決定日】
平成３０年９月６日（２０１８．９．６）
【訂正の要旨】
審決（決定）の【理由】欄参照。
（５４）【発明の名称】
エレベータ巻上機のリニューアル方法
　【技術分野】
　【０００１】
　本発明の実施の形態は、エレベータ巻上機のリニューアル方法に関する。
　【背景技術】
　【０００２】
　近年、巻上機を機械室に設置することなく、昇降路内に設置するマシンルームレスエレベータ装置が主流となっている。マシンルームレスエレベータ装置は、市場に登場してから２０年余りが経過している。このため、初期に登場したマシンルームレスエレベータ装置は、寿命に近づいた機器の交換や、新型の機器に交換することを目的としたリニューアルのタイミングに近づいている。
　【先行技術文献】
　【特許文献】
　【０００３】
　【特許文献１】特開２００９−１６７９５７号公報
　【特許文献２】特許第４３３９５７８号公報
　【発明の概要】
　【発明が解決しようとする課題】
　【０００４】
　しかしながら、マシンルームレスエレベータ装置におけるリニューアルでは、既設の巻上機、既設のそらせシーブ、および既設の釣合錘の昇降路内の用品を撤去して搬出し、新設の巻上機、新設のそらせシーブ、および新設の釣合錘を昇降路内に設置している。この場合、既設の用品、特に重量物である巻上機や、巻上機が設置される巻上機ベースの撤去作業および搬出作業に、多大な労力と時間が費やされる。リニューアル作業の工期を短縮するためには、作業者の増員が効果的であるが、人件費が増大してリニューアル費用に反映されるという問題があった。
　【０００５】
　本発明は、このような点を考慮してなされたものであり、リニューアル作業の工期を短縮し、リニューアル費用を削減することができるエレベータ巻上機のリニューアル方法を提供することを目的とする。
　【課題を解決するための手段】
　【０００６】
　実施の形態によるエレベータ巻上機のリニューアル方法は、マシンルームレスエレベータ装置におけるエレベータ巻上機をリニューアルする。このリニューアル方法は、既設主ロープを取り外す工程と、既設トラクションシーブを有する既設巻上機を撤去することなく、既設巻上機のロープ巻上機能を取り除く工程と、を備えている。また、このリニューアル方法は、
新設巻上機ベースをガイドレールに取り付ける工程と、
前記新設巻上機ベースに
　【０００７】
　また、実施の形態によるエレベータ巻上機のリニューアル方法は、マシンルームレスエレベータ装置におけるエレベータ巻上機をリニューアルする。このリニューアル方法は、既設主ロープを取り外す工程と、既設巻上機を撤去することなく、既設巻上機のロープ巻上機能を取り除くとともに、既設巻上機から既設トラクションシーブを撤去する工程と、を備えている。また、このリニューアル方法は、既設トラクションシーブが撤去された既設巻上機に、新設そらせシーブを設置する工程と、新設トラクションシーブを有する新設巻上機を設置する工程と、を備えている。さらに、このリニューアル方法は、新設主ロープを、新設そらせシーブおよび新設トラクションシーブに巻き掛ける工程を備えている。
　【０００８】
　また、実施の形態によるエレベータ巻上機のリニューアル方法は、マシンルームレスエレベータ装置におけるエレベータ巻上機をリニューアルする。このリニューアル方法は、既設主ロープを取り外す工程と、既設トラクションシーブを有する既設巻上機を撤去する工程と、新設トラクションシーブを有する新設巻上機を設置する工程と、釣合錘の錘枠から既設錘シーブを撤去する工程と、を備えている。また、このリニューアル方法は、撤去された既設巻上機を、既設錘シーブが撤去された錘枠に設置する工程と、新設主ロープを、新設トラクションシーブ、および錘枠に設置された既設巻上機の既設トラクションシーブに巻き掛ける工程と、を備えている。新設主ロープを巻き掛ける工程の後において、既設トラクションシーブは、錘シーブとして利用されている。
　【０００９】
　また、実施の形態によるエレベータ巻上機のリニューアル方法は、マシンルームレスエレベータ装置におけるエレベータ巻上機をリニューアルする。このリニューアル方法は、既設主ロープを取り外す工程と、既設巻上機ベースから、既設巻上機を撤去する工程と、既設巻上機が撤去された既設巻上機ベースに、新設そらせシーブを設置する工程と、を備えている。また、このリニューアル方法は、
新設巻上機ベースをガイドレールに取り付ける工程と、
前記新設巻上機ベースに
　【図面の簡単な説明】
　【００１０】
　【図１】図１は、本発明の第１の実施の形態におけるリニューアル前のエレベータ装置の全体概略構成を示す図である。
　【図２】図２は、本発明の第１の実施の形態におけるリニューアル後のエレベータ装置の全体概略構成を示す図である。
　【図３】図３は、本発明の第２の実施の形態におけるリニューアル前のエレベータ装置の全体概略構成を示す図である。
　【図４】図４は、本発明の第２の実施の形態におけるリニューアル後のエレベータ装置の全体概略構成を示す図である。
　【図５】図５は、本発明の第３の実施の形態におけるリニューアル後の新設巻上機およびそらせシーブの概略構成を示す図である。
　【図６】図６は、本発明の第４の実施の形態におけるリニューアル後のエレベータ装置の全体概略構成を示す図である。
　【図７】図７は、図６の変形例を示す図である。
　【図８】図８は、本発明の第５の実施の形態におけるリニューアル後のエレベータ装置の全体概略構成を示す図である。
　【図９】図９は、図８の変形例を示す図である。
　【発明を実施するための形態】
　【００１１】
　以下、図面を参照して本発明の実施の形態について説明する。
　【００１２】
（第１の実施の形態）
　図１および図２を用いて、第１の実施の形態におけるエレベータ巻上機のリニューアル方法（以下、単にリニューアル方法と記す）について説明する。
　【００１３】
　ここでは、まず、本実施の形態によるリニューアル方法が適用されるリニューアル前のマシンルームレスエレベータ装置（以下、単にエレベータ装置と記す）について図１を用いて説明する。
　【００１４】
　図１に示すように、エレベータ装置１は、昇降路２内を昇降自在な乗りかご３と、乗りかご３に既設主ロープ４を介して連結された釣合錘１０と、既設主ロープ４を介して乗りかご３及び釣合錘１０を昇降させる既設巻上機２０と、を備えている。
　【００１５】
　乗りかご３には、既設主ロープ４が巻き掛けられる一対のかごシーブ５が設けられている。
　【００１６】
　釣合錘１０は、錘枠１１を有しており、錘枠１１には、既設主ロープ４が巻き掛けられる一対の既設錘シーブ（錘シーブ）１２ａ、１２ｂが設置されている。また、錘枠１１には、複数の錘体１３が設置されており、乗りかご３の質量との釣合を図っている。
　【００１７】
　本実施の形態においては、既設巻上機２０は、機械室ではなく昇降路２の上部に設けられている。より具体的には、昇降路２の上部に既設巻上機ベース２１が設けられており、既設巻上機２０はこの既設巻上機ベース２１上に設置されている。
　【００１８】
　既設巻上機２０は、既設主ロープ４が巻き掛けられる既設トラクションシーブ２２を有している。既設巻上機２０は、既設トラクションシーブ２２に巻き掛けられた既設主ロープ４を巻き上げる。また、既設巻上機２０は、既設巻上機ブレーキ部２３を有している。
　【００１９】
　既設主ロープ４の両端は、昇降路２の上部に設けられたヒッチ部（図示せず）に取り付けられている。既設主ロープ４は、一方（図１の左側）のヒッチ部から他方（図１の右側）のヒッチ部に向かって、一対のかごシーブ５、既設巻上機２０の既設トラクションシーブ２２、一対の既設錘シーブ１２ａ、１２ｂに、この配列順で巻き掛けられている。
　【００２０】
　このような構成において、既設巻上機２０が既設トラクションシーブ２２を回転駆動することにより、既設主ロープ４が巻き上げられ、既設主ロープ４を介して乗りかご３および釣合錘１０がそれぞれ昇降する。これにより、乗りかご３は、エレベータ装置１が設置された建物の複数の階床にそれぞれ設けられた乗場間を昇降する。
　【００２１】
　ところで、昇降路２内には、上下方向に延びるかごガイドレール６が設けられている。このかごガイドレール６に沿って乗りかご３が昇降するようになっている。図１に示すように、本実施の形態においては、かごガイドレール６の上部に既設巻上機ベース２１が取り付けられている。なお、図１に示す例では、かごガイドレール６を模式的に示している。また、図示はしないが、昇降路２内には、上下方向に延びる錘ガイドレールが設けられており、この錘ガイドレールに沿って釣合錘１０が昇降するようになっている。上述した既設巻上機ベース２１は、この錘ガイドレールの上部に取り付けられていてもよい。
　【００２２】
　次に、図１に示すエレベータ装置１をリニューアルした後のエレベータ装置１ついて図２を用いて説明する。
　【００２３】
　図２に示すエレベータ装置１は、ロープ巻上機能が取り除かれた既設巻上機２０と、新設主ロープ７を介して乗りかご３および釣合錘１０を昇降させる新設巻上機４０と、を備えている。
　【００２４】
　既設巻上機２０は、昇降路２内から撤去されることなく、昇降路２内に残存している。しかしながら、既設巻上機２０は主ロープを巻き上げるロープ巻上機能が取り除かれている。そして、既設巻上機２０の既設トラクションシーブ２２には、新設主ロープ７が巻き掛けられており、既設トラクションシーブ２２は、リニューアル後のエレベータ装置１においては、そらせシーブとして利用されている。また、リニューアル後の既設巻上機２０は、ブレーキ機能を有している。より具体的には、新設主ロープ７を巻き掛ける工程の後において、既設巻上機２０は、ブレーキ機能を有している。すなわち、既設巻上機２０には、既設巻上機ブレーキ部２３が残されている。既設巻上機２０のブレーキ機能は、後述する新設巻上機４０の新設巻上機ブレーキ部４３に連動するようになっている。
　【００２５】
　新設巻上機４０は、機械室ではなく昇降路２の上部に設けられている。より具体的には、昇降路２の上部に新設巻上機ベース４１が設けられており、新設巻上機４０はこの新設巻上機ベース４１上に設置されている。本実施の形態では、新設巻上機４０は、既設巻上機２０と同等の高さ位置に設置されている。
　【００２６】
　新設巻上機４０は、新設主ロープ７が巻き掛けられる新設トラクションシーブ４２を有している。新設巻上機４０は、新設トラクションシーブ４２に巻き掛けられた新設主ロープ７を巻き上げる。また、新設巻上機４０は、新設巻上機ブレーキ部４３を有している。
　【００２７】
　新設主ロープ７の両端は、昇降路２の上部に設けられたヒッチ部（図示せず）に取り付けられている。新設主ロープ７は、一方（図２の左側）のヒッチ部から他方（図２の右側）のヒッチ部に向かって、一対のかごシーブ５、そらせシーブ（既設巻上機２０の既設トラクションシーブ２２）、一方（図２の左側）の既設錘シーブ１２ａ、新設巻上機４０の新設トラクションシーブ４２、他方（図２の右側）の既設錘シーブ１２ｂに、この配列順で巻き掛けられている。
　【００２８】
　このような構成において、新設巻上機４０が新設トラクションシーブ４２を回転駆動することにより、新設主ロープ７が巻き上げられ、新設主ロープ７を介して乗りかご３および釣合錘１０がそれぞれ昇降する。これにより、乗りかご３は、エレベータ装置１が設置された建物の複数の階床にそれぞれ設けられた乗場間を昇降する。このように、ロープ巻上機能が、既設巻上機２０から新設巻上機４０に移されている。
　【００２９】
　ところで、図２に示すように、本実施の形態においては、かごガイドレール６に新設巻上機ベース４１が取り付けられている。なお、新設巻上機ベース４１は、錘ガイドレールに取り付けられていてもよい。
　【００３０】
　次に、このような構成からなる本実施の形態における作用について説明する。ここでは、図１に示すリニューアル前のエレベータ装置１から図２に示すリニューアル後のエレベータ装置１にリニューアルするための、エレベータ巻上機のリニューアル方法について説明する。
　【００３１】
　まず、既設主ロープ４が、一対のかごシーブ５、既設巻上機２０の既設トラクションシーブ２２、一対の既設錘シーブ１２ａ、１２ｂ、およびヒッチ部から取り外される。
　【００３２】
　続いて、既設巻上機２０の主ロープを巻き上げるロープ巻上機能が取り除かれる。このとき、例えば、図示しない制御装置に接続されていた制御配線を取り除いてもよく、または当該制御装置の制御回路を改造してもよい。なお、既設巻上機２０のブレーキ機能は取り除かれない。また、既設巻上機２０および既設巻上機ベース２１は昇降路２内から撤去されることなく、昇降路２内に残存する。既設巻上機２０の既設トラクションシーブ２２は、そらせシーブとして利用される。
　【００３３】
　次に、新設巻上機ベース４１上に、新設トラクションシーブ４２を有する新設巻上機４０が設置される。この場合、まず、昇降路２の上部に、新設巻上機４０の新設巻上機ベース４１が取り付けられる。続いて、新設巻上機ベース４１上に新設巻上機４０が取り付けられる。
　【００３４】
　その後、新設主ロープ７が、既設巻上機２０の既設トラクションシーブ２２、および新設巻上機４０の新設トラクションシーブ４２に巻き掛けられる。このとき、例えば、新設主ロープ７の一端が、一方（図２の左側）のヒッチ部に取り付けられる。続いて、新設主ロープ７が、一対のかごシーブ５、既設巻上機２０の既設トラクションシーブ２２、一方の既設錘シーブ１２ａ、新設巻上機４０の新設トラクションシーブ４２、他方の既設錘シーブ１２ｂに、この配列順となるように巻き掛けられる。なお、新設主ロープ７が、一対のかごシーブ５、既設巻上機２０の既設トラクションシーブ２２、一方の既設錘シーブ１２ａ、新設巻上機４０の新設トラクションシーブ４２、他方の既設錘シーブ１２ｂに、この配列順となるように巻き掛けられれば、新設主ロープ７を各機器に巻き掛ける順番は任意である。その後、新設主ロープ７の他端が、他方（図２の右側）のヒッチ部に取り付けられる。
　【００３５】
　このようにして、リニューアル作業が完了し、図２に示すエレベータ装置１が得られる。エレベータ装置１の新設主ロープ７は、既設巻上機２０ではなく新設巻上機４０によって巻き上げられるようになり、ロープ巻上機能を有する巻上機が既設巻上機２０から新設巻上機４０に交換される。この場合、昇降している乗りかご３および釣合錘１０を停止させる場合には、新設巻上機４０の新設巻上機ブレーキ部５３だけでなく、既設巻上機２０の既設巻上機ブレーキ部２３を作動させて、乗りかご３および釣合錘１０を制動することができる。
　【００３６】
　このように本実施の形態によれば、既設巻上機２０を撤去することなく、既設巻上機２０の既設トラクションシーブ２２が、昇降路２内でそらせシーブとして利用されている。このことにより、既設巻上機２０および既設巻上機ベース２１を有効利用することができ、既設巻上機２０および既設巻上機ベース２１の撤去および搬出を省略することができる。このため、リニューアル時の作業量を軽減することができ、リニューアル作業の効率を向上させることができる。この結果、リニューアル作業の工期を短縮することができるとともに、リニューアル費用を削減することができる。
　【００３７】
　また、本実施の形態によれば、新設主ロープ７が、既設トラクションシーブ２２、一方の既設錘シーブ１２ａ、新設トラクションシーブ４２、他方の既設錘シーブ１２ｂに、この配列順で巻き掛けられている。このことにより、新設主ロープ７が、既設トラクションシーブ２２、新設トラクションシーブ４２に、この配列順で巻き掛けられる場合よりも、新設トラクションシーブ４２に巻き掛けられる新設主ロープ７の巻き掛け角度を大きくすることができる。このため、新設主ロープ７と新設トラクションシーブ４２との間の摩擦（トラクション）を、効果的に発生させることができる。このため、新設主ロープ７の巻き上げに要求される所定のトラクションをより効率的に得ることができる。
　【００３８】
　また、本実施の形態によれば、既設巻上機２０が、ブレーキ機能を有している。このことにより、新設巻上機４０の新設巻上機ブレーキ部５３と、既設巻上機２０の既設巻上機ブレーキ部２３とによってブレーキの２重化を図ることができる。このため、制動力を増大させてエレベータ装置１の安全性を高めることができる。
　【００３９】
　また、本実施の形態によれば、新設巻上機４０が、昇降路２の上部に設けられている。このため、降雨等により昇降路２内が冠水した場合であっても、新設巻上機４０が冠水する事態を回避し得る。
　【００４０】
　なお、上述した本実施の形態においては、既設主ロープ４を取り外す工程と、既設巻上機２０のロープ巻上機能を取り除く工程と、新設巻上機４０を設置する工程と、新設主ロープ７を巻き掛ける工程と、がこの順番で行われる例について説明した。しかしながら、このことに限られることはなく、リニューアル作業が完了した後に、図２に示すエレベータ装置１が得られていれば、各工程の順番はこれに限られることはない。
　【００４１】
　また、上述した本実施の形態においては、既設巻上機２０および新設巻上機４０が昇降路２の上部に設けられている例について説明した。しかしながら、このことに限られることはなく、既設巻上機２０が昇降路２の上部に設けられていた場合であっても、新設巻上機４０を昇降路２の下部に設けるようにしてもよい。この場合、追加のそらせシーブを使用することにより、新設主ロープ７をかごシーブ５、新設トラクションシーブ４２および既設錘シーブ１２ａ、１２ｂに巻き掛けることができる。この場合、例えば、図３に示すような態様で、新設主ロープ７を巻き掛けることができる。このため、既設巻上機２０および既設巻上機ベース２１を有効利用することができ、既設巻上機２０および既設巻上機ベース２１の撤去および搬出を省略することができる。
　【００４２】
　また、上述した本実施の形態においては、釣合錘１０に、２つの既設錘シーブ１２ａ、１２ｂが設置されている例について説明した。しかしながら、このことに限られることはなく、釣合錘１０に設置される既設錘シーブは１つであってもよい。この場合、既設錘シーブは、新設主ロープ７が並列状に巻き掛けられる２つのシーブ溝群（図示せず）を含むように構成され得る。
　【００４３】
（第２の実施の形態）
　次に、図３および図４を用いて、本発明の第２の実施の形態におけるエレベータ巻上機のリニューアル方法について説明する。
　【００４４】
　図３および図４に示す第２の実施の形態においては、既設巻上機が昇降路の下部に設けられている点が主に異なり、他の構成は、図１および図２に示す第１の実施の形態と略同一である。なお、図３および図４において、図１および図２に示す第１の実施の形態と同一部分には同一符号を付して詳細な説明は省略する。
　【００４５】
　図３に示すように、本実施の形態のリニューアル前のエレベータ装置１においては、既設巻上機２０は、機械室ではなく昇降路２の下部に設けられている。より具体的には、昇降路２の下部に既設巻上機ベース２１が設けられており、既設巻上機２０はこの既設巻上機ベース２１上に設置されている。
　【００４６】
　昇降路２の上部には、２つの既設そらせシーブ５０ａ、５０ｂが設けられている。この場合、例えば、既設そらせシーブベースが設けられており、２つの既設そらせシーブ５０ａ、５０ｂは、昇降路２の上部に設けられた既設そらせシーブベースに設置されている。
　【００４７】
　既設主ロープ４は、一方（図３の左側）のヒッチ部から他方（図３の右側）のヒッチ部に向かって、一対のかごシーブ５、一方の既設そらせシーブ５０ａ、既設トラクションシーブ２２、他方の既設そらせシーブ５０ｂ、一対の既設錘シーブ１２ａ、１２ｂに、この配列順で巻き掛けられている。
　【００４８】
　次に、図３に示すエレベータ装置１をリニューアルした後のエレベータ装置１ついて図４を用いて説明する。
　【００４９】
　図４に示すエレベータ装置１では、２つの既設そらせシーブ５０ａ、５０ｂのうち一方（図３の右側）の既設そらせシーブ５０ｂが撤去され、新設トラクションシーブ４２を有する新設巻上機４０が設置されている。
　【００５０】
　新設巻上機４０は、機械室ではなく昇降路２の上部に設置されている。新設巻上機４０の新設トラクションシーブ４２は、撤去された既設そらせシーブ５０ｂが設置されていた位置に配置されることが好適である。より具体的には、昇降路２の上部に新設巻上機ベース４１が設けられており、新設巻上機４０は、この新設巻上機ベース４１上に設置されている。
　【００５１】
　新設主ロープ７は、一方（図４の左側）のヒッチ部から他方（図４の右側）のヒッチ部に向かって、一対のかごシーブ５、既設そらせシーブ５０ａ、既設トラクションシーブ２２、新設トラクションシーブ４２、既設錘シーブ１２ａ、１２ｂに、この配列順で巻き掛けられている。
　【００５２】
　次に、図３に示すリニューアル前のエレベータ装置１から図４に示すリニューアル後のエレベータ装置１にリニューアルするための、エレベータ巻上機のリニューアル方法について説明する。
　【００５３】
　まず、既設主ロープ４が、一対のかごシーブ５、一方の既設そらせシーブ５０ａ、既設トラクションシーブ２２、他方の既設そらせシーブ５０ｂ、一対の既設錘シーブ１２ａ、１２ｂおよびヒッチ部から取り外される。
　【００５４】
　続いて、新設巻上機４０を設置する前に、昇降路２の上部に設けられていた既設そらせシーブ５０ｂが撤去される。この場合、例えば、昇降路２の上部に設けられた既設そらせシーブベースから既設そらせシーブ５０ｂが撤去される。
　【００５５】
　次に、新設巻上機４０が、昇降路２の上部に設置される。この場合、新設巻上機４０の新設トラクションシーブ４２は、撤去された既設そらせシーブ５０ｂが設置されていた位置に配置されることが好適である。
　【００５６】
　その後、新設主ロープ７が、既設トラクションシーブ２２、および新設トラクションシーブ４２に巻き掛けられる。このとき、例えば、新設主ロープ７の一端が、一方（図４の左側）のヒッチ部に取り付けられる。続いて、新設主ロープ７が、一対のかごシーブ５、一方の既設そらせシーブ５０ａ、既設トラクションシーブ２２、他方の既設そらせシーブ５０ｂ、一対の既設錘シーブ１２ａ、１２ｂに、この配列順となるように巻き掛けられる。その後、新設主ロープ７の他端が、他方（図４の右側）のヒッチ部に取り付けられる。
　【００５７】
　このようにして、リニューアル作業が完了し、図４に示すエレベータ装置１が得られる。
　【００５８】
　このように本実施の形態によれば、既設巻上機２０が昇降路２の下部に設けられている場合であっても、既設巻上機２０を撤去することなく、既設巻上機２０の既設トラクションシーブ２２が、昇降路２内でそらせシーブとして利用されている。このことにより、既設巻上機２０および既設巻上機ベース２１を有効利用することができ、既設巻上機２０および既設巻上機ベース２１の撤去および搬出を省略することができる。このため、リニューアル時の作業量を軽減することができ、リニューアル作業の効率を向上させることができる。この結果、リニューアル作業の工期を短縮することができるとともに、リニューアル費用を削減することができる。
　【００５９】
　なお、上述した本実施の形態においては、既設主ロープ４を取り外す工程と、既設そらせシーブ５０ｂが撤去される工程と、新設巻上機４０が設置される工程と、新設主ロープ７を巻き掛ける工程と、がこの順番で行われる例について説明した。しかしながら、このことに限られることはなく、既設そらせシーブ５０ｂが撤去された後に、新設巻上機４０が設置されるとともに、リニューアル作業が完了した後に、図４に示すエレベータ装置１が得られていれば、各工程の順番はこれに限られることはない。
　【００６０】
　また、上述した本実施の形態においては、釣合錘１０に、２つの既設錘シーブ１２ａ、１２ｂが設置されている例について説明した。しかしながら、このことに限られることはなく、釣合錘１０に設置される既設錘シーブは１つであってもよい。この場合、既設錘シーブは、新設主ロープ７が並列状に巻き掛けられる２つのシーブ溝群（図示せず）を含むように構成され得る。
　【００６１】
（第３の実施の形態）
　次に、図５を用いて、本発明の第３の実施の形態におけるエレベータ巻上機のリニューアル方法について説明する。
　【００６２】
　図５に示す第３の実施の形態においては、既設トラクションシーブを撤去して、既設巻上機に新設そらせシーブを設置する点が主に異なり、他の構成は、図１および図２に示す第１の実施の形態と略同一である。なお、図５において、図１および図２に示す第１の実施の形態と同一部分には同一符号を付して詳細な説明は省略する。
　【００６３】
　図５に示すように、本実施の形態のリニューアルした後のエレベータ装置１においては、既設巻上機２０に新設そらせシーブ６０が設置されている。
　【００６４】
　既設巻上機２０は、既設トラクションシーブ２２が撤去され、この既設トラクションシーブ２２の代替えとして、既設巻上機２０に新設そらせシーブ６０が設置されている。このようにして、本実施の形態では、既設トラクションシーブ２２が新設そらせシーブ６０に交換されている。この交換は、例えば、主ロープの変更に対応させることを目的とすることができる。より具体的には、ロープ径の変更によりシーブ径を変更する場合や、シーブ溝の個数を変更する場合等に既設トラクションシーブ２２を新設そらせシーブ６０に交換することが好適である。このため、新設そらせシーブ６０のシーブ径は、既設トラクションシーブ２２のシーブ径よりも大きくてもよく、または小さくてもよい。また、新設そらせシーブ６０のシーブ溝の個数は、既設トラクションシーブ２２のシーブ溝の個数よりも多くてもよく、または少なくてもよい。
　【００６５】
　新設主ロープ７は、一方（図５の左側）のヒッチ部から他方（図５の右側）のヒッチ部に向かって、一対のかごシーブ５、新設そらせシーブ６０、一方の既設錘シーブ１２ａ、新設トラクションシーブ４２、他方の既設錘シーブ１２ｂに、この配列順で巻き掛けられている。
　【００６６】
　次に、図１に示すリニューアル前のエレベータ装置１から図６に示すリニューアル後のエレベータ装置１にリニューアルするための、エレベータ巻上機のリニューアル方法について説明する。
　【００６７】
　まず、既設主ロープ４が、一対のかごシーブ５、既設トラクションシーブ２２、一対の既設錘シーブ１２ａ、１２ｂ、およびヒッチ部から取り外される。
　【００６８】
　続いて、既設巻上機２０の主ロープを巻き上げるロープ巻上機能が取り除かれるとともに、既設巻上機２０から既設トラクションシーブ２２が撤去される。なお、既設巻上機２０のブレーキ機能は取り除かれない。また、既設巻上機２０および既設巻上機ベース２１は昇降路２内から撤去されることなく、昇降路２内に残存する。
　【００６９】
　次に、既設トラクションシーブ２２が撤去された既設巻上機２０に、新設そらせシーブ６０が設置される。
　【００７０】
　次に、新設トラクションシーブ４２を有する新設巻上機４０が、設置される。
　【００７１】
　その後、新設主ロープ７が、新設そらせシーブ６０および新設トラクションシーブ４２に巻き掛けられる。このとき、例えば、新設主ロープ７の一端が、一方（図５の左側）のヒッチ部に取り付けられる。続いて、新設主ロープ７が、一対のかごシーブ５（図示せず）、新設そらせシーブ６０、一方の既設錘シーブ１２ａ（図示せず）、新設トラクションシーブ４２、他方の既設錘シーブ１２ｂ（図示せず）に、この配列順となるように巻き掛けられる。その後、新設主ロープ７の他端が、他方（図５の右側）のヒッチ部に取り付けられる。
　【００７２】
　このようにして、リニューアル作業が完了し、図５に示すエレベータ装置１が得られる。
　【００７３】
　このように本実施の形態によれば、既設トラクションシーブ２２が取り外された既設巻上機２０に、新設そらせシーブ６０が設置されている。このことにより、既設トラクションシーブ２２を新設そらせシーブ６０に交換して、主ロープの変更に対応させることができる。このため、既設巻上機２０および既設巻上機ベース２１を有効利用することができる。この結果、既設巻上機２０および既設巻上機ベース２１の撤去および搬出を省略することができる。このため、リニューアル時の作業量を軽減することができ、リニューアル作業の効率を向上させることができる。この結果、リニューアル作業の工期を短縮することができるとともに、リニューアル費用を削減することができる。
　【００７４】
　なお、上述した本実施の形態においては、既設主ロープ４を取り外す工程と、既設巻上機２０のロープ巻上機能が取り除かれるとともに、既設トラクションシーブ２２が撤去される工程と、新設そらせシーブ６０が設置される工程と、新設巻上機４０が設置される工程と、新設主ロープ７を巻き掛ける工程と、がこの順番で行われる例について説明した。しかしながら、このことに限られることはなく、リニューアル作業が完了した後に、図５に示すエレベータ装置１が得られていれば、各工程の順番はこれに限られることはない。
　【００７５】
（第４の実施の形態）
　次に、図６を用いて、本発明の第４の実施の形態におけるエレベータ巻上機のリニューアル方法について説明する。
　【００７６】
　図６に示す第４の実施の形態においては、撤去された既設巻上機が、既設錘シーブが撤去された錘枠に設置される点が主に異なり、他の構成は、図１および図２に示す第１の実施の形態と略同一である。なお、図６において、図１および図２に示す第１の実施の形態と同一部分には同一符号を付して詳細な説明は省略する。
　【００７７】
　図６に示すように、本実施の形態のリニューアルした後のエレベータ装置１においては、釣合錘１０の錘枠１１から、一対の既設錘シーブ１２ａ、１２ｂが撤去されている。また、既設巻上機２０が設置されていた既設巻上機ベース２１から、既設トラクションシーブ２２を有する既設巻上機２０が撤去されている。そして、既設巻上機ベース２１から撤去された既設巻上機２０が、既設錘シーブ１２ａ、１２ｂが撤去された錘枠１１に設置されている。
　【００７８】
　錘枠１１に設置されている既設巻上機２０は、釣合錘１０の錘として機能している。そして、既設巻上機２０の既設トラクションシーブ２２には、新設主ロープ７が巻き掛けられており、既設トラクションシーブ２２は、リニューアル後のエレベータ装置１においては、錘シーブとして利用されている。すなわち、既設トラクションシーブ２２は、撤去された錘シーブ１２の代替えとして機能している。
　【００７９】
　新設巻上機４０は、昇降路２の上部に設置されているとともに新設トラクションシーブ４２を有している。新設巻上機４０は、既設巻上機２０が設置されていた位置に配置されることが好適である。より具体的には、昇降路２の上部に既設巻上機ベース２１が残存しており、新設巻上機４０はこの既設巻上機ベース２１上に設置されている。
　【００８０】
　新設主ロープ７は、一方（図６の左側）のヒッチ部から他方（図６の右側）のヒッチ部に向かって、一対のかごシーブ５、新設トラクションシーブ４２、錘枠１１に設置された既設巻上機２０の既設トラクションシーブ２２に、この配列順で巻き掛けられている。
　【００８１】
　次に、図１に示すリニューアル前のエレベータ装置１から図６に示すリニューアル後のエレベータ装置１にリニューアルするための、エレベータ巻上機のリニューアル方法について説明する。
　【００８２】
　まず、既設主ロープ４が、一対のかごシーブ５、既設巻上機２０の既設トラクションシーブ２２、一対の既設錘シーブ１２ａ、１２ｂ、およびヒッチ部から取り外される。
　【００８３】
　続いて、既設巻上機２０が設置されている既設巻上機ベース２１から、既設トラクションシーブ２２を有する既設巻上機２０が撤去される。撤去された既設巻上機２０のロープ巻上機能およびブレーキ機能は、取り除かれる。なお、既設巻上機ベース２１は、昇降路２内から撤去されることなく、昇降路２内に残存する。
　【００８４】
　次に、新設トラクションシーブ４２を有する新設巻上機４０が設置される。この場合、既設巻上機ベース２１上に新設巻上機４０が取り付けられる。
　【００８５】
　次に、新設巻上機４０によって新設主ロープ７を介して昇降される釣合錘１０から、釣合錘１０の錘枠１１に設置されていた既設錘シーブ１２ａ、１２ｂが撤去される。
　【００８６】
　次に、撤去された既設巻上機２０が、既設錘シーブ１２ａ、１２ｂが撤去された錘枠１１に設置される。このようにして、既設巻上機２０の既設トラクションシーブ２２は、錘シーブとして利用される。
　【００８７】
　その後、新設主ロープ７が、新設トラクションシーブ４２、および錘枠１１に設置された既設巻上機２０の既設トラクションシーブ２２に巻き掛けられる。このとき、例えば新設主ロープ７の一端が、一方（図６の左側）のヒッチ部に取り付けられる。続いて、新設主ロープ７が、一対のかごシーブ５、新設トラクションシーブ４２、既設巻上機２０の既設トラクションシーブ２２に、この配列順となるように巻き掛けられる。その後、新設主ロープ７の他端が、他方（図６の右側）のヒッチ部に取り付けられる。
　【００８８】
　このようにして、リニューアル作業が完了し、図６に示すエレベータ装置１が得られる。
　【００８９】
　このように本実施の形態によれば、既設巻上機２０を昇降路２から搬出することなく、既設巻上機２０の既設トラクションシーブ２２が、錘シーブとして利用されている。また、既設巻上機ベース２１を撤去することなく、新設巻上機４０が既設巻上機ベース２１上に設置されている。このことにより、既設巻上機２０および既設巻上機ベース２１を有効利用することができ、既設巻上機２０の搬出を省略するとともに、既設巻上機ベース２１の撤去および搬出を省略することができる。このため、リニューアル時の作業量を軽減することができ、リニューアル作業の効率を向上させることができる。この結果、リニューアル作業の工期を短縮することができるとともに、リニューアル費用を削減することができる。
　【００９０】
　また、本実施に形態によれば、既設巻上機２０が、釣合錘１０の錘として利用されている。このことにより、既設巻上機２０を有効利用することができ、既設巻上機２０の搬出を省略することができる。
　【００９１】
　なお、上述した本実施の形態においては、既設主ロープ４を取り外す工程と、既設巻上機２０を撤去する工程と、新設巻上機４０を設置する工程と、既設錘シーブ１２ａ、１２ｂを撤去する工程と、既設巻上機２０を設置する工程と、新設主ロープ７を巻き掛ける工程と、がこの順番で行われる例について説明した。しかしながら、このことに限られることはなく、リニューアル作業が完了した後に、図６に示すエレベータ装置１が得られていれば、各工程の順番はこれに限られることはない。
　【００９２】
　また、上述した本実施の形態においては、既設巻上機２０が昇降路２の上部に設けられていた例（図１参照）について説明した。しかしながら、このことに限られることはなく、既設巻上機２０が昇降路２の下部に設けられていてもよい（図３参照）。この場合においても、図７に示すように、既設巻上機２０を既設巻上機ベース２１から撤去し、撤去した既設巻上機２０を錘枠１１に設置し、既設巻上機ベース２１上に新設巻上機４０を設置すればよい。このことにより、新設主ロープ７をかごシーブ５、新設トラクションシーブ４２および既設トラクションシーブ２２に巻き掛けることができる。このため、既設巻上機２０および既設巻上機ベース２１を有効利用することができ、既設巻上機２０の搬出を省略するとともに、既設巻上機ベース２１の撤去および搬出を省略することができる。
　【００９３】
　また、上述した本実施の形態においては、錘枠１１に設置されていた錘体１３が、例えば、既設錘シーブ１２ａ、１２ｂを撤去する際に撤去されてもよい。
　【００９４】
（第５の実施の形態）
　次に、図８を用いて、本発明の第５の実施の形態におけるエレベータ巻上機のリニューアル方法について説明する。
　【００９５】
　図８に示す第５の実施の形態においては、既設巻上機が撤去された既設巻上機ベースに、新設そらせシーブが設置される点が主に異なり、他の構成は、図１および図２に示す第１の実施の形態と略同一である。なお、図８において、図１および図２に示す第１の実施の形態と同一部分には同一符号を付して詳細な説明は省略する。
　【００９６】
　図８に示すように、本実施の形態のリニューアルした後のエレベータ装置１においては、既設巻上機ベース２１から既設巻上機２０が撤去されている。しかしながら、既設巻上機ベース２１は、昇降路２内から撤去されることなく、昇降路２内に残存している。そして、既設巻上機２０が撤去された既設巻上機ベース２１上に、新設そらせシーブ７０が設置されている。
　【００９７】
　新設主ロープ７は、一方（図８の左側）のヒッチ部から他方（図８の右側）のヒッチ部に向かって、一対のかごシーブ５、新設そらせシーブ７０、一方の既設錘シーブ１２ａ、新設トラクションシーブ４２、他方の既設錘シーブ１２ｂに、この配列順で巻き掛けられている。
　【００９８】
　次に、図１に示すリニューアル前のエレベータ装置１から図８に示すリニューアル後のエレベータ装置１にリニューアルするための、エレベータ巻上機のリニューアル方法について説明する。
　【００９９】
　まず、既設主ロープ４が、一対のかごシーブ５、既設巻上機２０の既設トラクションシーブ２２、一対の既設錘シーブ１２ａ、１２ｂ、およびヒッチ部から取り外される。
　【０１００】
　続いて、既設巻上機ベース２１から、既設巻上機２０が撤去される。このとき、既設巻上機ベース２１は昇降路２内から撤去されることなく、昇降路２内に残存し、新設そらせシーブ７０のベースとして利用される。撤去された既設巻上機２０のロープ巻上機能およびブレーキ機能は、取り除かれる。
　【０１０１】
　次に、既設巻上機２０が撤去された既設巻上機ベース２１上に、新設そらせシーブ７０が設置される。
　【０１０２】
　次に、新設トラクションシーブ４２を有する新設巻上機４０が設置される。
　【０１０３】
　その後、新設主ロープ７を、新設そらせシーブ７０および新設トラクションシーブ４２に巻き掛ける。このとき、例えば新設主ロープ７の一端が、一方（図８の左側）のヒッチ部に取り付けられる。続いて、新設主ロープ７が、一対のかごシーブ５、新設そらせシーブ７０、一方の既設錘シーブ１２ａ、新設トラクションシーブ４２、他方の既設錘シーブ１２ｂに、この配列順となるように巻き掛けられる。その後、新設主ロープ７の他端が、他方（図８の右側）のヒッチ部に取り付けられる。
　【０１０４】
　このようにして、リニューアル作業が完了し、図８に示すエレベータ装置１が得られる。
　【０１０５】
　このように本実施の形態によれば、既設巻上機ベース２１を撤去することなく、新設そらせシーブ７０が、既設巻上機ベース２１上に設置されている。このことにより、既設巻上機ベース２１を有効利用することができ、既設巻上機ベース２１の撤去および搬出を省略することができる。このため、リニューアル時の作業量を軽減することができ、リニューアル作業の効率を向上させることができる。この結果、リニューアル作業の工期を短縮することができるとともに、リニューアル費用を削減することができる。
　【０１０６】
　なお、上述した本実施の形態においては、既設主ロープ４を取り外す工程と、既設巻上機２０を撤去する工程と、新設そらせシーブ７０を設置する工程と、新設巻上機４０を設置する工程と、新設主ロープ７を巻き掛ける工程と、がこの順番で行われる例について説明した。しかしながら、このことに限られることはなく、リニューアル作業が完了した後に、図８に示すエレベータ装置１が得られていれば、各工程の順番はこれに限られることはない。
　【０１０７】
　また、上述した本実施の形態においては、既設巻上機２０が昇降路２の上部に設けられていた例（図１参照）について説明した。しかしながら、このことに限られることはなく、既設巻上機２０が昇降路２の下部に設けられていてもよい（図３参照）。この場合においても、図９に示すように、既設巻上機２０を既設巻上機ベース２１から撤去し、既設巻上機ベース２１上に新設そらせシーブ７０を設置し、新設巻上機ベース４１上に新設巻上機４０を設置すればよい。このことにより、新設主ロープ７をかごシーブ５、新設そらせシーブ７０および新設トラクションシーブ４２に巻き掛けることができる。このため、既設巻上機ベース２１を有効利用することができ、既設巻上機ベース２１の撤去および搬出を省略することができる。
　【０１０８】
　以上述べた実施の形態によれば、リニューアル作業の工期を短縮し、リニューアル費用を削減することができる。
　【０１０９】
　本発明のいくつかの実施の形態を説明したが、これらの実施の形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。また、当然のことながら、本発明の要旨の範囲内で、これらの実施の形態を、部分的に適宜組み合わせることも可能である。
　【符号の説明】
　【０１１０】
１・・・エレベータ装置、２・・・昇降路、４・・・既設主ロープ、７・・・新設主ロープ、１０・・・釣合錘、１１・・・錘枠、１２ａ、１２ｂ・・・既設錘シーブ、１３・・・錘体、２０・・・既設巻上機、２１・・・既設巻上機ベース、２２・・・既設トラクションシーブ、２３・・・既設巻上機ブレーキ部、４０・・・新設巻上機、４２・・・新設トラクションシーブ、５０ａ、５０ｂ・・・既設そらせシーブ、６０・・・新設そらせシーブ、７０・・・新設そらせシーブ
（５７）【特許請求の範囲】
　【請求項１】
　マシンルームレスエレベータ装置におけるエレベータ巻上機のリニューアル方法であって、既設主ロープを取り外す工程と、既設トラクションシーブを有する既設巻上機を撤去することなく、前記既設巻上機のロープ巻上機能を取り除く工程と、
新設巻上機ベースをガイドレールに取り付ける工程と、
前記新設巻上機ベースに
　【請求項２】
　マシンルームレスエレベータ装置におけるエレベータ巻上機のリニューアル方法であって、既設主ロープを取り外す工程と、既設トラクションシーブを有する既設巻上機を撤去することなく、前記既設巻上機のロープ巻上機能を取り除く工程と、新設トラクションシーブを有する新設巻上機を設置する工程と、新設主ロープを、前記既設トラクションシーブおよび前記新設トラクションシーブに巻き掛ける工程と、を備え、前記新設主ロープを巻き掛ける工程の後において、前記既設トラクションシーブは、そらせシーブとして利用されることを特徴とするエレベータ巻上機のリニューアル方法において、
　前記既設巻上機は、昇降路の上部に設置されており、釣合錘に、一対の錘シーブが設けられており、前記新設巻上機を設置する工程において、前記新設巻上機は、前記昇降路の上部に設置され、前記新設主ロープを巻き掛ける工程において、前記新設主ロープは、一方の前記錘シーブ、前記新設トラクションシーブ、他方の前記錘シーブに、この配列順で巻き掛けられることを
特徴とするエレベータ巻上機のリニューアル方法。
　【請求項３】
　前記既設巻上機は、昇降路の下部に設けられており、前記新設巻上機を設置する工程の前に、前記昇降路の上部に設けられていた既設そらせシーブが撤去され、前記新設巻上機を設置する工程において、前記新設巻上機は、前記昇降路の上部に設置されることを特徴とする請求項１に記載のエレベータ巻上機のリニューアル方法。
　【請求項４】
　前記新設主ロープを巻き掛ける工程の後において、前記既設巻上機は、ブレーキ機能を有していることを特徴とする
請求項２
　【請求項５】
　マシンルームレスエレベータ装置におけるエレベータ巻上機のリニューアル方法であって、既設主ロープを取り外す工程と、既設巻上機を撤去することなく、前記既設巻上機のロープ巻上機能を取り除くとともに、前記既設巻上機から既設トラクションシーブを撤去する工程と、前記既設トラクションシーブが撤去された前記既設巻上機に、新設そらせシーブを設置する工程と、新設トラクションシーブを有する新設巻上機を設置する工程と、新設主ロープを、前記新設そらせシーブおよび前記新設トラクションシーブに巻き掛ける工程と、を備えたことを特徴とするエレベータ巻上機のリニューアル方法。
　【請求項６】
　マシンルームレスエレベータ装置におけるエレベータ巻上機のリニューアル方法であって、既設主ロープを取り外す工程と、既設トラクションシーブを有する既設巻上機を撤去する工程と、新設トラクションシーブを有する新設巻上機を設置する工程と、釣合錘の錘枠から既設錘シーブを撤去する工程と、撤去された前記既設巻上機を、前記既設錘シーブが撤去された前記錘枠に設置する工程と、新設主ロープを、前記新設トラクションシーブ、および前記錘枠に設置された前記既設巻上機の前記既設トラクションシーブに巻き掛ける工程と、を備え、前記新設主ロープを巻き掛ける工程の後において、前記既設トラクションシーブは、錘シーブとして利用されることを特徴とするエレベータ巻上機のリニューアル方法。
　【請求項７】
　マシンルームレスエレベータ装置におけるエレベータ巻上機のリニューアル方法であって、既設主ロープを取り外す工程と、既設巻上機ベースから、既設巻上機を撤去する工程と、前記既設巻上機が撤去された前記既設巻上機ベース上に、新設そらせシーブを設置する工程と、
新設巻上機ベースをガイドレールに取り付ける工程と、
前記新設巻上機ベースに
　【請求項８】
　マシンルームレスエレベータ装置におけるエレベータ巻上機のリニューアル方法であって、既設主ロープを取り外す工程と、既設トラクションシーブを有する既設巻上機を撤去することなく、前記既設巻上機のロープ巻上機能を取り除く工程と、新設トラクションシーブを有する新設巻上機を設置する工程と、新設主ロープを、前記既設トラクションシーブおよび前記新設トラクションシーブに巻き掛ける工程と、を備え、前記新設主ロープを巻き掛ける工程の後において、前記既設トラクションシーブは、そらせシーブとして利用されることを特徴とするエレベータ巻上機のリニューアル方法において、
　前記新設主ロープを巻き掛ける工程の後において、前記既設巻上機は、ブレーキ機能を有していることを特徴とするエレベータ巻上機のリニューアル方法。
　【請求項９】
　マシンルームレスエレベータ装置におけるエレベータ巻上機のリニューアル方法であって、既設主ロープを取り外す工程と、既設トラクションシーブを有する既設巻上機を撤去することなく、前記既設巻上機のロープ巻上機能を取り除く工程と、新設トラクションシーブを有する新設巻上機を設置する工程と、新設主ロープを、前記既設トラクションシーブおよび前記新設トラクションシーブに巻き掛ける工程と、を備え、前記新設主ロープを巻き掛ける工程の後において、前記既設トラクションシーブは、そらせシーブとして利用されることを特徴とするエレベータ巻上機のリニューアル方法において、
　前記既設巻上機は、昇降路の下部に設けられており、前記新設巻上機を設置する工程の前に、前記昇降路の上部に設けられていた既設そらせシーブが撤去され、前記新設巻上機を設置する工程において、前記新設巻上機は、前記昇降路の上部に設置され、
　前記新設主ロープを巻き掛ける工程の後において、前記既設巻上機は、ブレーキ機能を有していることを特徴とするエレベータ巻上機のリニューアル方法。